(57)【要約】【課題】  アンテナおよび無線通信モジュールを効率よくレイアウトできる電子カメラを提供する。【解決手段】  電子カメラは、筐体と、カメラ制御部および無線通信モジュールと、アンテナ部とを備える。筐体はレリーズ釦が配置された把持部を有する。カメラ制御部および無線通信モジュールは、筐体内の把持部の対応位置に収納される。アンテナ部は、無線通信モジュールと電気的に接続されるとともに、無線通信モジュールから独立して筐体の把持部以外の位置に配置される。【選択図】  図４
2007166075.tif 000002
【特許請求の範囲】
【請求項１】
レリーズ釦が配置された把持部を有する筐体と、
前記筐体内の前記把持部の対応位置に収納されるカメラ制御部および無線通信モジュールと、
前記無線通信モジュールと電気的に接続されるとともに、前記無線通信モジュールから独立して前記筐体の前記把持部以外の位置に配置されるアンテナ部と、
を備えたことを特徴とする電子カメラ。
【請求項２】
請求項１に記載の電子カメラにおいて、
前記筐体の前記把持部以外の位置に撮影光学系ユニットが配置されることを特徴とする電子カメラ。
【請求項３】
請求項１に記載の電子カメラにおいて、
前記筐体は電磁波に対して遮蔽効果を有し、
前記アンテナ部は、前記筐体の内部に収納される第１状態と前記筐体の外部に露呈する第２状態とを切替可能であることを特徴とする電子カメラ。
【発明の詳細な説明】
【技術分野】
【０００１】
本発明は、無線通信機能を有する電子カメラに関する。
【背景技術】
【０００２】
従来から無線通信機能を有する電子カメラが提案されている。かかる電子カメラでは、十分な通信性能を確保するために筐体外部にアンテナを露呈させる必要が生じる。特に金属筐体の電子カメラでは筐体で電磁波が遮蔽されるのでその必要性が大きい。この点に関して、特許文献１には、非使用状態においてアンテナを備えたユニットを筐体内に収納するとともに、使用状態においてアンテナをカメラ本体から露呈させる構成のカメラが開示されている。
【特許文献１】特開２００３−２９８９０８号公報
【発明の開示】
【発明が解決しようとする課題】
【０００３】
ところで、カメラの把持部の位置にアンテナを配置すると、ユーザーの掌や指でアンテナが覆われるため通信性能が大幅に低下するおそれがある。その一方で、無線通信モジュールは、カメラの制御部とともに把持部のスペースに配置する方が回路設計上で有利となる。そのため、筐体内でのアンテナおよび無線通信モジュールの効率のよいレイアウトがなお追求されていた。
【０００４】
本発明は上記従来技術の課題を解決するものであって、アンテナおよび無線通信モジュールを効率よくレイアウトできる電子カメラを提供することである。
【課題を解決するための手段】
【０００５】
第１の発明の電子カメラは、筐体と、カメラ制御部および無線通信モジュールと、アンテナ部とを備える。筐体はレリーズ釦が配置された把持部を有する。カメラ制御部および無線通信モジュールは、筐体内の把持部の対応位置に収納される。アンテナ部は、無線通信モジュールと電気的に接続されるとともに、無線通信モジュールから独立して筐体の把持部以外の位置に配置される。
【０００６】
第２の発明は、第１の発明において、筐体の把持部以外の位置に撮影光学系ユニットが配置される。
第３の発明は、第１の発明において、筐体は電磁波に対して遮蔽効果を有する。アンテナ部は、筐体の内部に収納される第１状態と筐体の外部に露呈する第２状態とを切替可能である。
【発明の効果】
【０００７】
本発明の電子カメラでは、アンテナおよび無線通信モジュールを筐体に効率よくレイアウトすることができる。
【発明を実施するための最良の形態】
【０００８】
（第１実施形態の説明）
図１および図２は第１実施形態の電子カメラの外観図である。図３は第１実施形態の電子カメラのブロック図である。
第１実施形態の電子カメラは、筐体１１と、撮影光学系ユニット１２と、撮像素子１３と、画像処理部１４と、メモリ１５と、記録Ｉ／Ｆ１６と、無線通信モジュール１７と、操作部１８と、表示部１９と、アンテナ部２０と、駆動機構２１と、発光ユニット２２と、ＣＰＵ２３とを有している。
【０００９】
筐体１１には電子カメラの構成部品が格納される。この筐体１１の正面形状は、横方向（カメラの左右方向）に長い矩形となっている。筐体正面（被写体側）からみて筐体１１の奥行（カメラの厚み）は筐体１１の幅および高さよりも短く設定されている。
また、第１実施形態の筐体１１はステンレス、アルミニウム等の金属で形成されている。そのため筐体１１は電磁波に対して遮蔽効果を有している。さらに、筐体正面からみて筐体上面の右側には、アンテナ部２０の形状に対応した開口が形成されている。なお、第１実施形態では筐体正面からみて筐体１１の左側部分が把持部をなす。
【００１０】
撮影光学系ユニット１２は、鏡筒と、複数のレンズ群と、駆動部とを有している。撮影光学系ユニット１２では、上記の駆動部の動作によって各レンズの光軸方向位置が調整される。なお、撮影光学系ユニット１２は、筐体正面からみて筐体１１の右側部分に配置されている。
撮像素子１３は、撮影光学系ユニット１２の像空間側に配置されている。撮像素子１３の受光面には受光素子が２次元配列されている。撮像素子１３は、被写体像を光電変換してアナログ画像信号を生成する。この撮像素子１３の出力は画像処理部１４に接続されている。
【００１１】
画像処理部１４は、電子カメラの画像処理に特化したカスタムチップを有している。この画像処理部１４では、撮像素子１３の出力信号のＡ／Ｄ変換や、各種の画像処理を実行する。なお、画像処理部１４からは撮影画像データが出力される。メモリ１５は、画像処理部１４による画像処理の前工程および後工程でデータを一時的に保存する。また、メモリ１５は、無線通信に関する各種設定を記録する記録部を兼ねる。
【００１２】
記録Ｉ／Ｆ１６には記録媒体２４を接続するためのコネクタが形成されている。そして、記録Ｉ／Ｆ１６は、コネクタに接続された記録媒体２４に対して撮影画像データの書き込み／読み込みを実行する。上記の記録媒体２４は、半導体メモリを内蔵したカード型記録媒体や小型ハードディスクなどで構成される。なお、図３では記録媒体２４の一つであるカード型記録媒体を図示する。
【００１３】
無線通信モジュール１７は、無線ＬＡＮの標準規格ＩＥＥＥ８０２．１１に規定された仕様に準拠して、他の無線通信モジュールとの通信を制御する。例えば、撮影画像データを外部装置に送信する場合、無線通信モジュール１７は撮影画像データを無線通信可能なデータに変換するとともに、変換後のデータをアンテナ部２０を介して送信する。
無線通信モジュール１７は、ＩＥＥＥ８０２．１１で規定されているインフラストラクチャモードおよびアドホックモードのいずれかで通信対象の装置と通信を行うことができる。インフラストラクチャモードは、無線通信モジュールを搭載した中継機器をアクセスポイントとして、電子カメラが通信対象の装置と無線通信を行うモードである。アドホックモードは、無線通信モジュールを搭載した通信対象の装置と電子カメラとが直接に無線通信を行うモードである。
【００１４】
操作部１８は、電源釦１８ａと、レリーズ釦１８ｂと、モード選択ダイヤル１８ｃと、カーソルスイッチ１８ｄとを有している。電源釦１８ａは、電子カメラの電源オン／オフの切替入力をユーザーから受け付ける。レリーズ釦１８ｂは、レリーズタイミングの指示入力をユーザーから受け付ける。電源釦１８ａおよびレリーズ釦１８ｂは、図１に示すように筐体正面からみて筐体上面の左側、すなわち筐体１１の把持部側に配置されている。モード選択ダイヤル１８ｃは、電子カメラのモード切替入力をユーザーから受け付ける。カーソルスイッチ１８ｄは、設定画面におけるカーソルの移動操作および決定入力をユーザーから受け付ける。モード選択ダイヤル１８ｃおよびカーソルスイッチ１８ｄは、図２に示すように筐体１１の背面に配置されている。
【００１５】
表示部１９は筐体１１の背面部分に配置されている。この表示部１９には、撮影画像データの再生画像や電子カメラの各種設定を変更するための設定画面などが表示される。なお、表示部１９の設定画面には、無線通信に関する設定メニューの表示画面も含まれる。
アンテナ部２０は無線通信モジュール１７と電気的に接続されている。アンテナ部２０は筐体上面の開口の位置に配置されている。そして、アンテナ部２０は、駆動機構２１の動作によって、筐体上下方向に移動して第１状態と第２状態とを切り替えることができる。図１（ａ）に示す第１状態では、筐体１１の内部にアンテナ部２０が収納された状態となる。一方、図１（ｂ）に示す第２状態では、第１状態からアンテナ部２０が上方に移動して筐体１１の外部にアンテナ部２０が露呈した状態となる。なお、アンテナ部２０は、無線ＬＡＮでの通信を行う無線通信モードを除き、通常は上記の第１状態におかれている。
【００１６】
駆動機構２１は、ＣＰＵ２３の指示に基づいてアンテナ部２０の状態を第１状態から第２状態に切り替える。この駆動機構２１は、アンテナ部２０を上下動させる機構部と、該機構部を駆動させるモータとを有する。上記の機構部は、リードスクリューとナットとの組み合わせ、ラックと歯車との組み合わせ等の公知の機構で実現される。そのため、駆動機構２１の詳細な図示は省略する。
【００１７】
発光ユニット２２は、キセノン発光管などの発光手段と、反射傘およびレンズ部材と、発光のエネルギを蓄えるメインコンデンサなどを有している。
ＣＰＵ２３は所定のシーケンスプログラムに従って電子カメラの各部動作を制御する。特に上記の無線通信モードでは、ＣＰＵ２３は、操作部１８からのユーザーの入力に応じて、無線通信モジュール１７の制御、駆動機構２１の動作指示および表示部１９での設定メニューの表示画面の表示処理などを実行する。
【００１８】
また、図４は電子カメラの内部構成を示す斜視図である。筐体１１の内部には、メイン基板２５が縦置きで配置されている。メイン基板２５には、筐体正面からみて右側の領域に撮影光学系ユニット１２が組み付けられている。また、メイン基板２５には、筐体正面からみて左側の領域に、電子カメラのＣＰＵ２３を構成するＡＳＩＣが配置されている。
筐体１１の中央部には発光ユニット２２が配置されている。また、筐体正面からみて左側の領域には、電池収納部２６、記録Ｉ／Ｆ１６および無線通信モジュール１７が配置されている。電池収納部２６の全体形状は矩形の薄箱形に形成されている。電池収納部２６および記録Ｉ／Ｆ１６は、メイン基板２５の前面側で平行に配置されている。
【００１９】
無線通信モジュール１７は、無線通信用の回路を有する矩形基板で構成されている。無線通信モジュール１７は筐体１１の左側面と平行をなすように縦置きで配置されている。そのため、無線通信モジュール１７は、メイン基板２５に対して垂直に配置されることとなる。また、アンテナ部２０は筐体正面からみて右上の位置に配置されている。アンテナ部２０はシールド線２７を介して無線通信モジュール１７と電気的に接続されている。なお、図４では駆動機構２１の図示は省略する。
【００２０】
図４の構成では、筐体右側は撮影光学系ユニット１２によって大半のスペースが占有される。そして、ユーザーの掌や指が撮影光学系ユニット１２の邪魔にならないように、筐体１１の左側部分が把持部となっている。また、メイン基板２５のＡＳＩＣ（２３）および無線通信モジュール１７は、いずれも筐体１１の左側に近接配置されている。したがって、ＣＰＵ２３と無線通信モジュール１７との間では信号線の距離が短くなるためＳＮ比を良好に保つことができる。一方、アンテナ部２０は筐体右側に配置されており、筐体左側に配置された無線通信モジュール１７から独立している。すなわち、アンテナ部２０は筐体１１の把持部以外の位置に配置されているので、アンテナ部２０がユーザーの掌や指で覆われて通信性能が阻害されることはない。
【００２１】
次に、図５の流れ図によって、第１実施形態での無線通信モードの動作を説明する。
ステップ１０１：ユーザーは操作部１８のモード選択ダイヤル１８ｃを操作して、電子カメラのモード切り替えを行う。電子カメラのＣＰＵ２３は無線通信モードに切り替えられたか否かを判定する。無線通信モードに切り替えられた場合（ＹＥＳ側）にはＳ１０２に移行する。一方、無線通信モードではない場合（ＮＯ側）には、ＣＰＵ２３はユーザーによる無線通信モードへの切り替え入力を待機する。
【００２２】
ステップ１０２：ＣＰＵ２３は、無線通信モードへの切替操作に応じて、無線通信に関する設定メニューの表示画面を表示部１９に表示させる。図６（ａ）、（ｂ）は設定メニューの表示画面の一例を示す図である。なお、以下に示す各表示画面での表示処理は、いずれもＣＰＵ２３が所定のプログラムに基づいて実行する。
図６（ａ）は第１の表示画面を示す図である。第１の表示画面には、通信可能なネットワーク名（ＳＳＩＤ）の一覧表示（１９ａ）と、上記のＳＳＩＤの一覧から無線通信の接続先の指定を促す表示（１９ｂ）と、接続先の探索を指示する表示（１９ｃ）とが含まれている。第１の表示画面で操作部を介してユーザーから所定のＳＳＩＤの指定入力をＣＰＵ２３が受け付けると、ＣＰＵ２３は指定された接続先との無線通信を実行する。また、第１の表示画面で操作部１８を介してユーザーから接続先の探索指示をＣＰＵ２３が受け付けると、ＣＰＵ２３は接続可能なアクセスポイントまたは通信装置の探索を開始する。なお、第１の表示画面で操作部１８を介してユーザーからＣＰＵ２３がＳＳＩＤの設定操作を受け付けると、ＣＰＵ２３は表示部１９の画面を後述の第２の表示画面に切り替える。
【００２３】
図６（ｂ）は第２の表示画面を示す図である。この第２の表示画面は、例えば、接続先の登録がない初期状態の場合や、第１の表示画面でＳＳＩＤの設定操作があった場合などに表示される。第２の表示画面では、ユーザーが操作部１８を介して個々の接続先の設定をＣＰＵ２３に対して入力できる。第２の表示画面には、ＳＳＩＤの表示（１９ｄ）と、通信モードの表示（１９ｅ）と、通信チャンネルの表示（１９ｆ）とが含まれている。ここで、通信モードの項目では、アドホックモードまたはインフラストラクチャモードのいずれかをＣＰＵ２３に対して選択入力できる。また、通信チャンネルの項目では、上記のアドホックモードで接続先に設定されているチャンネル番号をＣＰＵ２３に対して入力できる。この第２の表示画面では、所定のＳＳＩＤに対するＩＰアドレス等の自動設定や手動設定をユーザーがＣＰＵ２３に対して行うこともできる。なお、第２の表示画面での設定は、事前にユーザーがＣＰＵ２３に対して入力しておくこともできる。
【００２４】
ステップ１０３：ＣＰＵ２３は、無線通信モードへの切替操作に応じて駆動機構２１を動作させる。駆動機構２１は、第１状態のアンテナ部２０を上方に移動させて、アンテナ部２０の状態を第２状態に切り替える。なお、Ｓ１０３でのアンテナ部２０の状態切り替えはＳ１０２での表示画面の表示開始と同時に実行されてもよく、あるいはＳ１０２での表示画面の表示開始より遅れて実行されてもよい。
【００２５】
ステップ１０４：ＣＰＵ２３は、操作部１８を介してユーザーから接続先の探索が指示されたか否かを判定する。探索が指示された場合（ＹＥＳ側）にはＳ１０５に移行する。一方、探索が指示されていない場合（ＮＯ側）にはＳ１０７に移行する。
ステップ１０５：ＣＰＵ２３は無線通信モジュール１７に接続先の探索を指示する。例えば、無線通信モジュール１７は、他の無線通信モジュールに対して応答を求めるパケットを送信する。そして、無線通信モジュール１７は、上記のパケットに対する応答結果に基づいて無線通信が可能な接続先を検出する。あるいは、無線通信モジュール１７は、周囲のアクセスポイントが定期的に出力するビーコンパケットを取得することで接続先を検出するようにしてもよい。なお、接続先の検出時には、ＣＰＵ２３は検出した接続先との通信で必要となる設定動作を自動的に実行する。
【００２６】
ステップ１０６：ＣＰＵ２３は、Ｓ１０５で検出した接続先を表示部１９の第１の表示画面で表示する。この場合には、ユーザーはＳ１０５で検出した接続先をＣＰＵ２３に対して指定入力することもできる。
ステップ１０７：ＣＰＵ２３は、操作部１８を介してユーザーから接続先が指定入力されたか否かを判定する。接続先が指定入力された場合（ＹＥＳ側）にはＳ１０８に移行する。一方、接続先が指定入力されていない場合（ＮＯ側）にはＳ１０９に移行する。
【００２７】
ステップ１０８：ＣＰＵ２３は、無線通信モジュール１７を介して、指定された接続先との間で無線通信を実行する。例えば、記録媒体２４の撮影画像データをＣＰＵ２３が外部装置に転送することで、外部装置での撮影画像データの保存や、印刷機能を有する外部装置による撮影画像のダイレクトプリントなどが可能となる。なお、Ｓ１０８では、撮影画像データを生成するたびに、ＣＰＵ２３が接続先の外部装置に撮影画像データを逐次送信するようにしてもよい。
【００２８】
ステップ１０９：この場合には、ＣＰＵ２３は無線通信モードが解除されたか否かを判定する。無線通信モードが解除された場合（ＹＥＳ側）にはＳ１１０に移行する。一方、無線通信モードが解除されていない場合（ＮＯ側）にはＳ１０７に戻る。
ステップ１１０：ＣＰＵ２３は、無線通信モードの解除に応じて、表示部１９における表示画面の表示を終了する。
【００２９】
ステップ１１１：ＣＰＵ２３は、無線通信モードの解除に応じて駆動機構２１を動作させる。駆動機構２１は、第２状態のアンテナ部２０を下方に移動させて、アンテナ部２０の状態を第１状態に切り替える。以上で、第１実施形態での無線通信モードの動作説明を終了する。
以下、第１実施形態の効果を説明する。第１実施形態では、無線通信モードへの切替操作に応じて、表示部１９に設定メニューが表示されるとともにアンテナ部２０が筐体１１の外部に露呈する（Ｓ１０２、Ｓ１０３）。すなわち、無線通信モードではアンテナ部２０が筐体１１の外部に位置するので、筐体１１の電磁波遮蔽効果による通信性能への悪影響を著しく抑制できる。その一方で、無線通信モード以外ではアンテナ部２０が筐体１１に収納されるので、電子カメラの意匠性を向上させることができる。
【００３０】
（第２実施形態の説明）
図７は第２実施形態での無線通信モードの動作を説明する流れ図である。第２実施形態は、ユーザーから接続先の探索が指示された段階またはユーザーから接続先が指定された段階でＣＰＵ２３がアンテナ部２０の状態を切り替える点で第１実施形態と相違する。かかる第２実施形態でも第１実施形態とほぼ同様の効果を得ることができる。
【００３１】
ここで、以下の実施形態において、第１実施形態と共通の構成については同一符号を付して重複説明を省略する。なお、図７のＳ２０１、Ｓ２０２は図５のＳ１０１、Ｓ１０２にそれぞれ対応するので重複説明を省略する。
ステップ２０３：ＣＰＵ２３は、操作部１８を介してユーザーから接続先の探索が指示されたか否かを判定する。探索が指示された場合（ＹＥＳ側）にはＳ２０４に移行する。一方、探索が指示されていない場合（ＮＯ側）にはＳ２０７に移行する。
【００３２】
ステップ２０４：ＣＰＵ２３は駆動機構２１を動作させる。駆動機構２１は、第１状態のアンテナ部２０を上方に移動させて、アンテナ部２０の状態を第２状態に切り替える。
ステップ２０５：ＣＰＵ２３は無線通信モジュール１７に接続先の探索を指示する。なお、このＳ２０５は図５のＳ１０５に対応するので重複説明は省略する。
ステップ２０６：ＣＰＵ２３は、Ｓ２０５で検出した接続先を表示部１９の第１の表示画面で表示する。この場合には、ユーザーはＳ２０５で検出した接続先をＣＰＵ２３に対して指定入力することもできる。
【００３３】
ステップ２０７：ＣＰＵ２３は、操作部１８を介してユーザーから接続先が指定入力されたか否かを判定する。接続先が指定入力された場合（ＹＥＳ側）にはＳ２０８に移行する。一方、接続先が指定入力されていない場合（ＮＯ側）にはＳ２１１に移行する。
ステップ２０８：ＣＰＵ２３は、接続先の探索を実行したか否かを判定する。接続先の探索を実行した場合（ＹＥＳ側）には、アンテナ部２０が既に第２状態にあるのでＳ２１０に移行する。一方、接続先の探索を実行していない場合（ＮＯ側）には、アンテナ部２０が筐体１１に収納されたままなのでＳ２０９に移行する。
【００３４】
ステップ２０９：ＣＰＵ２３は駆動機構２１を動作させる。駆動機構２１は、第１状態のアンテナ部を上方に移動させて、アンテナ部２０の状態を第２状態に切り替える。
ステップ２１０：ＣＰＵ２３は、無線通信モジュール１７を介して指定された接続先との間で無線通信を実行する。なお、このＳ２１０は図５のＳ１０８に対応するので重複説明は省略する。
【００３５】
ステップ２１１：この場合には、ＣＰＵ２３は無線通信モードが解除されたか否かを判定する。無線通信モードが解除された場合（ＹＥＳ側）にはＳ２１２に移行する。一方、無線通信モードが解除されていない場合（ＮＯ側）にはＳ２０７に戻る。
ステップ２１２：ＣＰＵ２３は、無線通信モードの解除に応じて、表示部１９における表示画面の表示を終了する。
【００３６】
ステップ２１３：ＣＰＵ２３は、接続先の探索を実行したか否かを判定する。接続先の探索を実行した場合（ＹＥＳ側）にはアンテナ部２０が第２状態にあるのでＳ２１４に移行する。一方、接続先の探索を実行していない場合（ＮＯ側）には、アンテナ部２０は筐体１１に収納されているのでそのまま処理を終了する。
ステップ２１４：ＣＰＵ２３は、無線通信モードの解除に応じて駆動機構２１を動作させる。駆動機構２１は、第２状態のアンテナ部２０を下方に移動させて、アンテナ部２０の状態を第１状態に切り替える。以上で第２実施形態での無線通信モードの動作説明を終了する。
【００３７】
（第１実施形態および第２実施形態の変形例）
図８、図９は電子カメラの筐体１１およびアンテナ部２０の構成の変形例を示す図である。これらの構成によっても、第１実施形態および第２実施形態とほぼ同様の効果を得ることができる。
まず、図８の構成を説明する。図８の例では、筐体側面にアンテナ部２０の形状に対応した開口が形成されている。筐体側面の開口に対応する位置には、開口部の蓋をなすカバー部材１１ａが配置される。このカバー部材１１ａは、筐体側面に沿って上下方向に摺動可能となっている。なお、カバー部材１１ａの材質は筐体１１と同様の材質で形成されている。
【００３８】
図８の例では、アンテナ部２０は筐体側面の開口の位置に配置される。そして、アンテナ部２０は、駆動機構２１の動作によって、筐体左右方向に移動して第１状態と第２状態とを切り替えることができる。なお、図８の例では、駆動機構２１はカバー部材１１ａを摺動させる機構をも有する。
そして、図８（ａ）に示す第１状態では、筐体１１の内部にアンテナ部２０が収納された状態となる。このとき、筐体側面の開口部はカバー部材１１ａで覆われている。一方、図８（ｂ）に示す第２状態では、カバー部材１１ａが下方に摺動するとともに、アンテナ部２０が第１状態から側方に移動して筐体２０の外部に露呈した状態となる。なお、この第２状態では、図８（ｃ）に示すように、アンテナ部２０は筐体１１の側面よりも突出した状態となる。
【００３９】
次に、図９の構成を説明する。図９の例では、筐体１１の一側面に筐体上下方向に沿って突起部１１ｂが形成されている。この突起部１１ｂの中間は一部が切り欠かれている。そして、アンテナ部２０は上記の切り欠き部分に配置されている。また、突起部１１ｂには、切り欠き部分に対応する大きさのカバー部材１１ａが取り付けられている。このカバー部材１１ａは、駆動機構２１の動作によって上下方向に摺動可能となっている。なお、カバー部材１１ａの材質は筐体１１と同様の材質で形成されている。
【００４０】
そして、図９（ａ）に示す第１状態では、カバー部材１１ａによってアンテナ部３０が覆われることで筐体１１の内部にアンテナ部２０が収納された状態となる。一方、図９（ｂ）に示す第２状態では、駆動機構２１によってカバー部材１１ａが摺動して筐体１１の外部にアンテナ部２０が露呈した状態となる。
（第３実施形態の説明）
図１０は第３実施形態の電子カメラのブロック図である。第３実施形態のアンテナ部２０ａは、第１状態（筐体に収納された状態）と第２状態（外部に露呈した状態）とをユーザーが手動で切り替えることができる。アンテナ部２０ａは、例えば図９のように、カバー部材の摺動で状態を切り替える構成で容易に実現できる。なお、上記のアンテナ部２０ａは、図１、図８と同様の構成のアンテナ部を手動で状態切り替えとしたものであってもよい。
【００４１】
また、筐体１１にはアンテナ部２０ａの第１状態と第２状態との切り替えを検出するマイクロスイッチ２８が配置されている。そして、第３実施形態のＣＰＵは、アンテナ部２０ａの第２状態への切り替えをマイクロスイッチ２８で検出した場合に上記の無線通信モードを立ち上げる。このとき、ＣＰＵ２３は表示画面（図６参照）を表示部１９に表示させる。なお、アンテナ部２０ａが第１状態の場合には、ＣＰＵ２３は無線通信モードの起動または設定変更などを不能化してもよい。例えば、アンテナ部２０ａが第１状態の場合には、ＣＰＵ２３は表示画面で無線通信モードに関する項目をグレーで表示して選択不能としてもよい（この場合の表示画面の図示は省略する）。かかる第３実施形態によっても、第１実施形態とほぼ同様の効果を得ることができる。
【００４２】
（実施形態の補足事項）
以上、本発明を上記の実施形態によって説明してきたが、本発明の技術的範囲は上記実施形態に限定されるものではない。
（１）本発明の構成は金属製の筐体に限定されることなく、筐体の少なくとも一部に導電メッキの施された樹脂製の筐体に対しても同様に適用することができる。
【００４３】
（２）第１実施形態では、表示画面の表示よりも先にアンテナ部の状態を第１状態から第２状態に切り替えるようにしてもよい。また、本発明では電源釦の操作に連動してアンテナ部の状態を切り替える構成としてもよい。
（３）カバー部材の移動で第１状態と第２状態とを切り替える筐体では、カバー部材をヒンジで開閉させる構成としてもよい。
【００４４】
（４）図８、図９の構成でも、第１実施形態と同様に、把持部をなす筐体左側に無線通信モジュールとＣＰＵとを配置する一方で、アンテナ部を無線通信モジュールから独立させて筐体右側に配置するレイアウトにしてもよい（なお、筐体の内部構成の図示はいずれも省略する）。
（５）上記実施形態ではＩＥＥＥ８０２．１１の規格による無線ＬＡＮ通信を行う電子カメラの例を説明したが、本発明は他の無線通信規格に関しても同様に適用することが可能である。
【図面の簡単な説明】
【００４５】
【図１】第１実施形態の電子カメラの斜視図
【図２】第１実施形態の電子カメラの背面図
【図３】第１実施形態の電子カメラのブロック図
【図４】電子カメラの内部構成を示す斜視図
【図５】第１実施形態での無線通信モードの動作を説明する流れ図
【図６】設定メニューの表示画面の一例を示す図
【図７】第２実施形態での無線通信モードの動作を説明する流れ図
【図８】電子カメラの筐体およびアンテナ部の構成の変形例を示す図
【図９】電子カメラの筐体およびアンテナ部の構成の変形例を示す図
【図１０】第３実施形態の電子カメラのブロック図
【符号の説明】
【００４６】
１１…筐体、１１ａ…カバー部材、１２…撮影光学系ユニット、１７…無線通信モジュール、１８…操作部、１８ｂ…レリーズ釦、１８ｃ…モード選択ダイヤル、１９…表示部、２０、２０ａ…アンテナ部、２１…駆動機構、２３…ＣＰＵ、２７…シールド線、２８…マイクロスイッチ
【図１】
2007166075.tif 000003
【図２】
2007166075.tif 000004
【図３】
2007166075.tif 000005
【図４】
2007166075.tif 000006
【図５】
2007166075.tif 000007
【図６】
2007166075.tif 000008
【図７】
2007166075.tif 000009
【図８】
2007166075.tif 000010
【図９】
2007166075.tif 000011
【図１０】
2007166075.tif 000012